【手続補正書】
【提出日】平成15年8月22日(2003.8.22)
【手続補正１】
【補正対象書類名】明細書
【補正対象項目名】特許請求の範囲
【補正方法】変更
【補正の内容】
【特許請求の範囲】
【請求項１】
第１基板と、
前記第１基板と間隔を置いて対向して配置された第２基板と、
前記第１基板の主面と第２基板の主面との間の空間を減圧状態に保持するために前記第１基板と第２基板との間に配置され、前記空間を囲む支持枠と、
前記空間内の前記第１基板の主面上に配置された複数の電子放出素子と、
前記複数の電子放出素子と対向するように、前記空間内の前記第２基板の主面上に配置された画像形成部材と、
前記空間内の前記第２基板の主面上に、前記画像形成部材と間隔を置いて前記画像形成部材を囲むように配置され、前記画像形成部材に印加される電位よりも低い電位が印加される第１の導電性膜とを有することを特徴とする画像形成装置。
【請求項２】
前記第２基板の主面上において、前記画像形成部材の任意の点と、前記第２基板の主面の外周を構成する任意の点とを結ぶ線上に、必ず前記第１の導電性膜が配置されてなることを特徴とする請求項１に記載の画像形成装置。
【請求項３】
前記第１の導電性膜に印加される電位は、実質的にグランド電位であることを特徴とする請求項１または２に記載の画像形成装置。
【請求項４】
前記電子放出素子は、前記減圧状態に保持された空間外に配置された駆動回路と、配線を介して接続されており、該配線に印加される電位と、前記第１の導電性膜に印加される電位とが実質的に同じであることを特徴とする請求項１乃至３のいずれか１項に記載の画像形成装置。
【請求項５】
前記第１の導電性膜と、前記画像形成部材とが、前記第１の導電性膜よりも高い抵抗値を有する第２の導電性膜によって接続されていることを特徴とする請求項１乃至４のいずれか１項に記載の画像形成装置。
【請求項６】
前記第２の導電性膜は、１０7Ω/□以上のシート抵抗を有することを特徴とする請求項５に記載の画像形成装置。
【請求項７】
前記第２の導電性膜は、１０14Ω/□以下のシート抵抗を有することを特徴とする請求項５または６に記載の画像形成装置。
【請求項８】
前記第１の導電性膜は、前記支持枠と前記第２基板との接合部に配置されることを特徴とする請求項１乃至７のいずれか１項に記載の画像形成装置。
【請求項９】
前記第１の導電性膜は、導電性の接合部材であることを特徴とする請求項８に記載の画像形成装置。
【請求項１０】
前記空間内に位置する前記第２基板の表面は、全て導電性部材により覆われていることを特徴とする請求項１乃至９のいずれか１項に記載の画像形成装置。
【請求項１１】
前記空間内に位置する前記第２基板の表面は、全て、前記画像形成部材、前記第１及び第２の導電性膜により覆われていることを特徴とする請求項５乃至９のいずれか１項に記載の画像形成装置。
【請求項１２】
前記画像形成装置は、さらに、前記第１基板と第２基板との間隔を保持するために、前記空間内に配置されたスペーサを有し、
前記スペーサの長手方向の長さは、前記長手方向における前記画像形成部材の長さよりも長く、
前記画像形成部材の外周と対向する前記第１の導電膜の端部を通り、前記第２基板の主面に対して実質的に垂直である線と、前記支持枠の内周との間に、前記長手方向における前記スペーサの両端部が配置されることを特徴とする請求項１乃至１１のいずれか１項に記載の画像形成装置。
【請求項１３】
前記スペーサは、導電性を有することを特徴とする請求項１２に記載の画像形成装置。
【請求項１４】
前記スペーサは、前記空間内の、前記画像形成部材及び前記電子放出素子が配置されていない領域において、接合部材により固定されていることを特徴とする請求項１２または１３に記載の画像形成装置。
【請求項１５】
前記スペーサは、前記画像形成部材が配置されていない領域の前記第２基板上、及び／又は前記電子放出素子が配置されていない領域の前記第１基板上に、支持部材を介して固定されていることを特徴とする請求項１２乃至１４のいずれか１項に記載の画像形成装置。
【請求項１６】
前記画像形成部材は、蛍光体と該蛍光体を取り囲む黒色部材とを含む蛍光体膜と、該蛍光体膜を被覆する導電性膜とを含み、前記画像形成部材の外周が、前記黒色部材により規定されることを特徴とする請求項１乃至１５のいずれか１項に記載の画像形成装置。
【請求項１７】
前記画像形成部材は、蛍光体と該蛍光体を取り囲む黒色部材とを含む蛍光体膜と、該蛍光体膜を被覆する導電性膜とを含み、前記画像形成部材の外周が、前記蛍光体膜を被覆する導電性膜により規定されることを特徴とする請求項１乃至１５のいずれか１項に記載の画像形成装置。
【手続補正２】
【補正対象書類名】明細書
【補正対象項目名】００７２
【補正方法】変更
【補正の内容】
【００７２】
本発明の画像形成装置は、第１基板と、前記第１基板と間隔を置いて対向して配置された第２基板と、前記第１基板の主面と第２基板の主面との間の空間を減圧状態に保持するために前記第１基板と第２基板との間に配置され、前記空間を囲む支持枠と、前記空間内の前記第１基板の主面上に配置された複数の電子放出素子と、前記複数の電子放出素子と対向するように、前記空間内の前記第２基板の主面上に配置された画像形成部材と、前記空間内の前記第２基板の主面上に、前記画像形成部材と間隔を置いて前記画像形成部材を囲むように配置され、前記画像形成部材に印加される電位よりも低い電位が印加される第１の導電性膜とを有する。
本発明の画像形成装置の一態様では、前記第２基板の主面上において、前記画像形成部材の任意の点と、前記第２基板の主面の外周を構成する任意の点とを結ぶ線上に、必ず前記第１の導電性膜が配置されてなる。
本発明の画像形成装置の一態様では、前記第１の導電性膜に印加される電位は、実質的にグランド電位である。
本発明の画像形成装置の一態様では、前記電子放出素子は、前記減圧状態に保持された空間外に配置された駆動回路と、配線を介して接続されており、該配線に印加される電位と、前記第１の導電性膜に印加される電位とが実質的に同じである。
本発明の画像形成装置の一態様では、前記第１の導電性膜と、前記画像形成部材とが、前記第１の導電性膜よりも高い抵抗値を有する第２の導電性膜によって接続されている。
本発明の画像形成装置の一態様では、前記第２の導電性膜は、１０7Ω/□以上のシート抵抗を有する。
本発明の画像形成装置の一態様では、前記第２の導電性膜は、１０14Ω/□以下のシート抵抗を有する。
本発明の画像形成装置の一態様では、前記第１の導電性膜は、前記支持枠と前記第２基板との接合部に配置される。
本発明の画像形成装置の一態様では、前記第１の導電性膜は、導電性の接合部材である。
本発明の画像形成装置の一態様では、前記空間内に位置する前記第２基板の表面は、全て導電性部材により覆われている。
本発明の画像形成装置の一態様では、前記空間内に位置する前記第２基板の表面は、全て、前記画像形成部材、前記第１及び第２の導電性膜により覆われている。
本発明の画像形成装置の一態様では、前記画像形成装置は、さらに、前記第１基板と第２基板との間隔を保持するために、前記空間内に配置されたスペーサを有し、前記スペーサの長手方向の長さは、前記長手方向における前記画像形成部材の長さよりも長く、前記画像形成部材の外周と対向する前記第１の導電膜の端部を通り、前記第２基板の主面に対して実質的に垂直である線と、前記支持枠の内周との間に、前記長手方向における前記スペーサの両端部が配置される。
本発明の画像形成装置の一態様では、前記スペーサは、導電性を有する。
本発明の画像形成装置の一態様では、前記スペーサは、前記空間内の、前記画像形成部材及び前記電子放出素子が配置されていない領域において、接合部材により固定されている。
本発明の画像形成装置の一態様では、前記スペーサは、前記画像形成部材が配置されていない領域の前記第２基板上、及び／又は前記電子放出素子が配置されていない領域の前記第１基板上に、支持部材を介して固定されている。
本発明の画像形成装置の一態様では、前記画像形成部材は、蛍光体と該蛍光体を取り囲む黒色部材とを含む蛍光体膜と、該蛍光体膜を被覆する導電性膜とを含み、前記画像形成部材の外周が、前記黒色部材により規定される。
本発明の画像形成装置の一態様では、前記画像形成部材は、蛍光体と該蛍光体を取り囲む黒色部材とを含む蛍光体膜と、該蛍光体膜を被覆する導電性膜とを含み、前記画像形成部材の外周が、前記蛍光体膜を被覆する導電性膜により規定される。
本発明の画像形成装置によれば、画像形成部材と支持枠との距離を狭めることができ、そして、スペーサの端部や、スペーサの支持部材などの構造体に印加される電界を弱めることができる。その結果、高輝度で、安定な画像を長期に渡り形成でき、しかも軽量で製造が容易な画像形成装置が実現できる。